(57)【要約】【課題】記録媒体上の画像に異常があるかを判定することが可能な装置において、生産性を低下させることなく、ユーザーがヤレを明確に認識できるようにする。【解決手段】画像形成装置は、記録媒体に画像を形成する画像形成部と、合紙を挿入する合紙挿入部と、画像形成、合紙挿入および後処理を制御可能な制御部、を有し、前記制御部は、画像が形成された記録媒体を読み取った読取画像を取得し、前記読取画像に基づいて記録媒体上の画像に異常があるかを判定することができ、記録媒体を一つの束とする束後処理を行うページの記録媒体上で、画像の異常を検知した場合、前記合紙を挿入することなく、前記束後処理によって前記記録媒体を含む束を生成した後に前記合紙を排出する制御を行う。【選択図】図５
2019155656.tif 000002
【特許請求の範囲】
【請求項１】
記録媒体に画像を形成する画像形成部と、
合紙を挿入する合紙挿入部と、
画像形成、合紙挿入および後処理を制御可能な制御部、を有し、
前記制御部は、画像が形成された記録媒体を読み取った読取画像を取得し、前記読取画像に基づいて記録媒体上の画像に異常があるかを判定することができ、
記録媒体を一つの束とする束後処理を行うページの記録媒体上で、画像の異常を検知した場合、前記合紙を挿入することなく、前記束後処理によって前記記録媒体を含む束を生成した後に前記合紙を排出する制御を行う画像形成装置。
【請求項２】
前記制御部は、記録媒体を一つの束とする束後処理を行うページの記録媒体上で画像の異常を検知した場合、異常が検知された前記記録媒体を出力物として採用できるときに、前記束後処理によって当該記録媒体を含む束を生成した後に前記合紙を排出する制御を行う請求項１記載の画像形成装置。
【請求項３】
前記制御部は、記録媒体を一つの束とする束後処理を行うページの記録媒体上で画像の異常を検知した場合、異常が検知された記録媒体を出力物として採用できないときに、前記束の残りページの出力を中止し、前記合紙を排出する請求項２記載の画像形成装置。
【請求項４】
前記制御部は、記録媒体を一つの束とする束後処理を行うページの記録媒体上で画像の異常を検知した場合、異常が検知された記録媒体を出力物として採用できないときに、前記束の残りページの出力を中止して出力済みの記録媒体に対する束後処理を行い、その後、合紙を排出する請求項３記載の画像形成装置。
【請求項５】
前記制御部は、前記録媒体を一つの束とする束後処理を行うページの記録媒体上で画像の異常を検知した場合、異常が検知された記録媒体を出力物として採用できないときに、前記束の残りページの出力を中止して合紙を挿入し、出力済み記録媒体と前記合紙とを同じ束として生成する請求項３記載の画像形成装置。
【請求項６】
前記合紙は、前記束の表紙または／および裏表紙となるものである請求項５に記載の画像形成装置。
【請求項７】
前記制御部は、記録媒体上の画像の異常を検知した場合、画像の異常の種類または／およびレベルの閾値に基づいて、異常が検知された記録媒体が出力物として採用できるかを判定する請求項１〜６のいずれか１項に記載の画像形成装置。
【請求項８】
前記閾値が、枚葉処理に際し異常が検知された記録媒体が出力物として採用できるかを判定する際の閾値と異なるものである請求項７記載の画像形成装置。
【請求項９】
前記制御部は、異常が検知された記録媒体が出力物として採用できない場合、前記束後処理の最小リミット枚数があるときは、少なくとも前記最小リミット枚数に達するまで束の出力を継続してから束の出力を中止する請求項３〜８のいずれか１項に記載の画像形成装置。
【請求項１０】
前記制御部は、前記束後処理として単葉後処理が実施可能であるか、前記束後処理の最小リミット枚数があるか、後処理有無の両方で排出可能か、排紙順の設定の少なくとも１つに基づいて合紙の排出または挿入方法を切り替える請求項１〜９のいずれか１項に記載の画像形成装置。
【請求項１１】
前記制御部は、前記束後処理が製本処理またはステープル処理でない場合、記録媒体を一つの束とする束後処理を行うページの記録媒体上で、画像の異常を検知したときに、束の途中であっても前記合紙を挿入する請求項１〜１０のいずれか１項に記載の画像形成装置。
【請求項１２】
前記制御部は、前記合紙を挿入または排出する際に、異常が検知された記録媒体の位置に関する情報および異常の内容に関する情報の少なくとも一つを前記合紙に印刷する請求項１〜１１のいずれか１項に記載の画像形成装置。
【請求項１３】
合紙を挿入する合紙挿入部と、記録媒体に対する後処理を行う後処理部を制御可能であり、画像が形成された記録媒体を読み取った読取画像を取得し、前記読取画像に基づいて記録媒体上の画像に異常があるかを判定する検査制御部を有し、
前記検査制御部は、記録媒体に対する後処理を行う後処理部を制御可能であり、
記録媒体を一つの束とする束後処理を行うページの記録媒体上で、画像の異常を検知した場合、前記合紙を挿入することなく、前記束後処理によって前記記録媒体を含む束を生成した後に前記合紙を排出する制御を行う画像検査装置。
【請求項１４】
前記検査制御部は、記録媒体を一つの束とする束後処理を行うページの記録媒体上で画像の異常を検知した場合、異常が検知された前記記録媒体を出力物として採用できるときに、前記束後処理によって当該記録媒体を含む束を生成した後に前記合紙を排出する制御を行う請求項１３記載の画像検査装置。
【請求項１５】
画像形成、合紙挿入および後処理を制御可能な制御部で実行可能なプログラムであって、
前記プログラムは、前記制御部に対し、
画像が形成された記録媒体を読み取った読取画像を取得するステップと、
前記読取画像に基づいて記録媒体上の画像に異常があるかを判定するステップと、
記録媒体を一つの束とする束後処理を行うページの記録媒体上で、画像の異常を検知した場合、前記合紙を挿入することなく、前記束後処理によって前記記録媒体を含む束を生成した後に前記合紙を排出する制御を行うステップと、を有するプログラム。
【発明の詳細な説明】
【技術分野】
【０００１】
本発明は、記録媒体に形成された画像に異常があるかを判定可能な画像形成装置、画像検査装置およびプログラムに関する。
【背景技術】
【０００２】
複写機、プリンター、複合機などの画像形成装置の分野では、用紙の画像を読み取って取得した画像読取データを用いて、画像の異常（濃度むら、画像汚れ、ページ狂い等）の検知を行うヤレ自動検出機能を有する装置が知られている。例えば、読取画像と、印刷用の画像データなどの正解画像とを比較して、正解画像と一致するかを判定することによって、汚れや色ずれ、位置ずれ等の異常判定をしたり、故障診断機能によりスジの情報などを検出して機械の故障部分を診断したりすることが行われている。また、用紙の挿入紙や断裁代などに調整用画像を印刷し、これを読み取って画質の調整を行う装置が知られており、調整用画像を読み取る場合にも、調整不能などによって異常を判定することができる。これらの動作において異常があった場合をヤレといい、異常があった用紙はヤレ紙と称されている。
【０００３】
異常が検知された場合は、通常は出力の停止を行う。しかし、機械を停止して警告表示を実施すると生産性が低下するため、異常を検知した後も出力を継続することが求められる。そこで、ヤレ検出位置などを示すための合紙を挿入した上で出力動作を継続する技術が提案されている。
例えば、特許文献１には、出力画像の読み込みにより、ヤレ・濃度むら・位置ずれ等の画像異常を検知した際、異常画像のシートが既に排出済みならば、リカバリ用の目印となる合紙を排出して出力は停止させずに継続させる技術が開示されている。
また、特許文献２には、出力画像のヤレを検出した際、ヤレが発生したページは別の排出先に排出し、代わりにリカバリ印刷用紙の差し替え位置を示す合紙を挿入しておく技術が開示されている。
特許文献１、２の技術によれば、合紙を目印にユーザーがヤレ発生ページを確認し、出力物として採用できるかを判断し、必要に応じてリカバリを実施することが可能となる。
【０００４】
ところで、画像形成装置では、製本処理やステープル処理など、出力物を束ねる束後処理を実施する場合がある。特許文献１、２の技術では、束後処理を実施している場合には、合紙が入った状態で後処理が実施されてしまうため、束全体がヤレとなってしまう。
【０００５】
これに対しては、特許文献３には、ジャムの発生時に、ジャムによるトナー飛散等の汚れが発生していないかを後からチェックするために合紙を入れる技術であって、製本処理を実施するモードでは合紙の挿入を実施しないか、または合紙を挿入した上で後処理モードを解除して出力する、という制御を行う技術が開示されている。
【先行技術文献】
【特許文献】
【０００６】
【特許文献１】特開２０１６−１５９４３４号公報
【特許文献２】特開２０１３−１１１８７１号公報
【特許文献３】特開２０１２−２２３９７３号公報
【発明の概要】
【発明が解決しようとする課題】
【０００７】
しかし、特許文献３に記載の技術では、製本処理を実施するモードで合紙の挿入を行わない場合は、ヤレの位置をユーザーが把握することができず、ヤレが見落とされてしまうおそれがある。また、合紙を挿入した上で後処理モードを解除すると、ユーザーの検品により出力物として採用可能と判断された際には手動で後処理を行う必要があり、手間がかかるという問題がある。
【０００８】
本発明は上記課題を背景としてなされたものであり、画像の不良を検知することが可能な装置においてユーザーがヤレの位置を容易に把握することが可能で、かつ、生産性を低下させることなく、稼働を継続することが可能な画像形成装置、画像検査装置およびプログラムを提供することを目的とする。
【課題を解決するための手段】
【０００９】
すなわち、本発明の画像形成装置のうち、第１の形態は、記録媒体に画像を形成する画像形成部と、合紙を挿入する合紙挿入部と、画像形成、合紙挿入および後処理を制御可能な制御部、を有し、前記制御部は、画像が形成された記録媒体を読み取った読取画像を取得し、前記読取画像に基づいて記録媒体上の画像に異常があるかを判定することができ、
記録媒体を一つの束とする束後処理を行うページの記録媒体上で、画像の異常を検知した場合、前記合紙を挿入することなく、前記束後処理によって前記記録媒体を含む束を生成した後に前記合紙を排出する制御を行う。
【００１０】
他の形態の画像形成装置の発明は、前記形態の発明において、前記制御部は、記録媒体を一つの束とする束後処理を行うページの記録媒体上で画像の異常を検知した場合、異常が検知された前記記録媒体を出力物として採用できるときに、前記束後処理によって当該記録媒体を含む束を生成した後に前記合紙を排出する制御を行う。
【００１１】
他の形態の画像形成装置の発明は、前記形態の発明において、前記制御部は、記録媒体を一つの束とする束後処理を行うページの記録媒体上で画像の異常を検知した場合、異常が検知された記録媒体を出力物として採用できないときに、前記束の残りページの出力を中止し、前記合紙を排出する。
【００１２】
他の形態の画像形成装置の発明は、前記形態の発明において、前記制御部は、記録媒体を一つの束とする束後処理を行うページの記録媒体上で画像の異常を検知した場合、異常が検知された記録媒体を出力物として採用できないときに、前記束の残りページの出力を中止して出力済みの記録媒体に対する束後処理を行い、その後、合紙を排出する。
【００１３】
他の形態の画像形成装置の発明は、前記形態の発明において、前記制御部は、前記録媒体を一つの束とする束後処理を行うページの記録媒体上で画像の異常を検知した場合、異常が検知された記録媒体を出力物として採用できないときに、前記束の残りページの出力を中止して合紙を挿入し、出力済み記録媒体と前記合紙とを同じ束として生成する。
【００１４】
他の形態の画像形成装置の発明は、前記形態の発明において、前記合紙は、前記束の表紙または／および裏表紙となるものである。
【００１５】
他の形態の画像形成装置の発明は、前記形態の発明において、前記制御部は、記録媒体上の画像の異常を検知した場合、画像の異常の種類または／およびレベルの閾値に基づいて、異常が検知された記録媒体が出力物として採用できるかを判定する。
【００１６】
他の形態の画像形成装置の発明は、前記形態の発明において、前記閾値が、枚葉処理に際し異常が検知された記録媒体が出力物として採用できるかを判定する際の閾値と異なるものである。
【００１７】
他の形態の画像形成装置の発明は、前記形態の発明において、前記制御部は、異常が検知された記録媒体が出力物として採用できない場合、前記束後処理の最小リミット枚数があるときは、少なくとも前記最小リミット枚数に達するまで束の出力を継続してから束の出力を中止する。
【００１８】
他の形態の画像形成装置の発明は、前記形態の発明において、前記制御部は、前記束後処理として単葉後処理が実施可能であるか、前記束後処理の最小リミット枚数があるか、後処理有無の両方で排出可能か、排紙順の設定の少なくとも１つに基づいて合紙の排出または挿入方法を切り替える。
【００１９】
他の形態の画像形成装置の発明は、前記形態の発明において、前記制御部は、前記束後処理が製本処理またはステープル処理でない場合、記録媒体を一つの束とする束後処理を行うページの記録媒体上で、画像の異常を検知したときに、束の途中であっても前記合紙を挿入する。
【００２０】
他の形態の画像形成装置の発明は、前記形態の発明において、前記制御部は、前記合紙を挿入または排出する際に、異常が検知された記録媒体の位置に関する情報および異常の内容に関する情報の少なくとも一つを前記合紙に印刷する。
【００２１】
本発明の画像検査装置のうち、第１の形態は、合紙を挿入する合紙挿入部と、記録媒体に対する後処理を行う後処理部を制御可能であり、画像が形成された記録媒体を読み取った読取画像を取得し、前記読取画像に基づいて記録媒体上の画像に異常があるかを判定する検査制御部を有し、
前記検査制御部は、記録媒体に対する後処理を行う後処理部を制御可能であり、
記録媒体を一つの束とする束後処理を行うページの記録媒体上で、画像の異常を検知した場合、前記合紙を挿入することなく、前記束後処理によって前記記録媒体を含む束を生成した後に前記合紙を排出する制御を行う。
【００２２】
他の形態の画像検査装置の発明は、前記形態の発明において、前記検査制御部は、記録媒体を一つの束とする束後処理を行うページの記録媒体上で画像の異常を検知した場合、異常が検知された前記記録媒体を出力物として採用できるときに、前記束後処理によって当該記録媒体を含む束を生成した後に前記合紙を排出する制御を行う。
【００２３】
本発明のプログラムのうち、第１の形態は、画像形成、合紙挿入および後処理を制御可能な制御部で実行可能なプログラムであって、前記プログラムは、前記制御部に対し、
画像が形成された記録媒体を読み取った読取画像を取得するステップと、
前記読取画像に基づいて記録媒体上の画像に異常があるかを判定するステップと、
記録媒体を一つの束とする束後処理を行うページの記録媒体上で、画像の異常を検知した場合、前記合紙を挿入することなく、前記束後処理によって前記記録媒体を含む束を生成した後に前記合紙を排出する制御を行うステップと、を有する。
【発明の効果】
【００２４】
本発明によれば、束後処理が行われる記録媒体で異常が検知された場合に、ユーザーがヤレを明確に認識できるようにした上で、生産性を低下させることなく、またヤレによる記録媒体破棄を最小限に抑えることを可能となる。
【図面の簡単な説明】
【００２５】
【図１】本実施形態における画像形成装置の機械的構成の概略を示す図である。
【図２】同じく、制御ブロック図である。
【図３】従来技術における束物出力時の課題を示す図である。
【図４】本実施形態の画像形成装置における目印合紙の挿入方法を示す図である。
【図５】同じく、束後処理を実施するジョブを出力する場合の目印合紙の挿入手順を示すフローチャートである。
【図６】同じく、出力物として採用できないヤレを検知した場合の目印合紙の挿入方法を示す図である。
【図７】同じく、出力物として採用できないヤレを検知した場合の目印合紙の挿入方法を示す図である。
【図８】同じく、ヤレが出力物として採用可能か基づいて合紙の挿入方法を決定する場合の手順を示すフローチャートである。
【図９】同じく、単葉後処理後の排紙が可能な場合の合紙挿入方法を示す図である。
【図１０】同じく、単葉後処理後の用紙を排紙できない場合の合紙挿入方法を示す図である。
【図１１】同じく、カバー用紙を最初に排出する装置における合紙挿入方法を示す図である。
【図１２】同じく、最小後処理枚数が規定されている後処理装置を用いる場合の合紙挿入方法を示す図である。
【発明を実施するための形態】
【００２６】
以下に、本発明の画像形成装置の一実施形態を添付図面に基づいて説明する。なお、この実施形態では、本発明の画像検査装置は、画像形成装置に含まれる構成となっている。
画像形成装置１は、図１に示すように、装置本体１０の前段側に給紙装置４０が備えられ、装置本体１０の後段側に読取装置２０が備えられている。読取装置２０の後段側に後処理装置３０が備えられている。各装置および装置本体は、電気的および機械的に接続されており、各装置および装置本体間では、通信および用紙の搬送が可能となっている。
【００２７】
給紙装置４０は、複数の給紙段を備えており、各給紙段には用紙が収納されている。給紙段に収納されている用紙は、後段に設置されている装置本体１０に供給可能となっている。用紙は、本発明の記録媒体に相当する。なお、本発明としては、記録媒体の材質は紙に限定されるものではなく、布やプラスチックなどからなるものであってもよい。また、給紙装置４０には、合紙として使用するための用紙が収納されている。
【００２８】
装置本体１０は、筺体内の下部側に、複数の給紙トレイを備えた本体給紙部１２が配置されており、各給紙トレイに用紙が収納されている。用紙は、本発明の記録媒体に相当する。記録媒体の材質は紙に限定されるものではなく、布やプラスチックからなるものであってもよい。また、本体給紙部１２の給紙トレイには、合紙として使用するための用紙が収納されている。
装置本体１０の筺体内には、搬送路１３が設けられており、給紙装置４０または本体給紙部１２から供給される用紙が搬送路１３に沿って下流側に搬送される。
【００２９】
搬送路１３の途中付近には、用紙に画像を形成する画像形成部１１が設けられている。  画像形成部１１は、各色用（シアン、マゼンタ、イエロー、ブラック）用の感光体１１ａを有しており、感光体１１ａの周囲には、図示しない帯電器、ＬＤ（レーザダイオード）、現像器、クリーニング部等が備えられている。また、画像形成部１１は、各色用の感光体１１ａと接触する位置に、中間転写ベルト１１ｂを有している。中間転写ベルト１１ｂは、その途中に設けられた二次転写部１１ｃにおいて搬送路１３上の用紙と接触する。また、搬送路１３では、二次転写部１１ｃよりも下流側の位置に定着器１１ｄが備えられている。
【００３０】
用紙に画像を形成する場合は、帯電器によって感光体１１ａが一様に帯電された後に、感光体１１ａに対しＬＤからレーザー光が照射されて、感光体１１ａ上に潜像が形成される。感光体１１ａ上の潜像は、現像器によって現像されてトナー像となり、感光体１１ａ上のトナー像は中間転写ベルト１１ｂに転写される。中間転写ベルト１１ｂ上の画像は、二次転写部１１ｃにおいて用紙に転写される。画像が形成されて、搬送路１３に沿って搬送される用紙は、定着器１１ｄによって画像の定着が行われる。
なお、この実施形態では、画像形成部１１は多色のカラーで画像形成を行うものとして説明したが、本発明としては、画像形成部１１は、ブラックなどのモノクロで画像形成を行うものであってもよい。
【００３１】
また、搬送路１３は、定着器１１ｄの下流側で、反転搬送路１４が分岐している。反転搬送路１４の途中には、下流搬送路１６が分岐して反転搬送路１４の分岐地点よりも下流側で搬送路１３に接続されている。反転搬送路１４では、下流搬送路１６が分岐した地点よりも下流側で退避搬送路１５が分岐している。反転搬送路１４の下流端側は、画像形成部１１よりも上流側の位置で搬送路１３に合流している。搬送路１３は、ストレート方向において後段に接続された読取装置２０の搬送路２３に接続されている。
【００３２】
用紙の片面に画像形成を行う場合、画像形成後の用紙は、そのまま搬送路１３をストレートに搬送されて読取装置２０の搬送路２３へ搬送される。
画像形成後に用紙のフェイス面の切り替えを行う場合は、用紙を反転搬送路１４に搬送し、下流搬送路１６の分岐点を超えて搬送した後、反転搬送路１４を逆方向に搬送し、下流搬送路１６を通って搬送路１３の下流側に搬送する。
用紙を反転して用紙の裏面に画像を形成する場合、用紙を搬送路１３から反転搬送路１４に送り、退避搬送路１５に送った後、用紙の先後を変えて反転搬送路１４の下流側に送り、搬送路１３に環流する。その後、画像形成部１１において用紙の裏面側への画像形成が行われる。
【００３３】
また、装置本体１０は、筐体の上部に操作部１４０が備えられている。操作部１４０は、タッチパネルを供えたＬＣＤ１４１と、テンキー等の操作キー群とを有しており、情報の表示および操作入力の受付が可能となっている。操作部１４０は、本発明の表示部に相当し、操作部を兼ねている。
なお、この実施形態では、操作部１４０は操作部と表示部とが一体となっているが、操作部と表示部とが一体となっていないものでもよく、例えば、操作部をマウスやタブレット、端末等によって構成してもよい。また、ＬＣＤ１４１は移動可能となっているものであってもよい。
【００３４】
また、装置本体１０の筐体の上部には、操作部１４０が位置しない場所に、自動原稿給送装置（ＡＤＦ）１８が備えられている。自動原稿給送装置（ＡＤＦ）１８は、原稿載置台にセットされた原稿を自動で給送するものであり、自動原稿給送装置（ＡＤＦ）１８で給送される原稿は、図２で示されるスキャナー部１３０によって読み取られる。
なお、原稿の読み取りは図示しないプラテンガラス上で行うことも可能である。
また、スキャナー部１３０では、画像形成装置１から出力された印刷物をセットして読み取りを行うことも可能である。例えば、画像形成装置１で出力された用紙をセットして異常があるかの判定を行うこともできる。
【００３５】
また、装置本体１０は、制御部１００を有している。制御部１００は、画像形成装置１全体を制御するものであり、ＣＰＵやメモリなどによって構成される。なお、制御部１００は、装置本体外に設けられるものであってもよい。ＣＰＵ上で動作するプログラムは、本発明のプログラムを含んでいる。制御部１００は、本発明の画像検査装置の主要な構成となるものである。また、画像の読取結果を取得する場合、読取部との間で通信を行う通信部やＩＯなどが画像検査装置に含まれるものとしてもよい。
【００３６】
読取装置２０は、搬送路２３を有しており、装置本体１０から導入される用紙が搬送路２３に沿って搬送される。搬送路２３の下流側は、後段の後処理装置３０に接続されている。
搬送路２３の途中には、搬送路２３で搬送される用紙の下面の画像の読み取りを行う画像読取部２４と、用紙の上面の画像の読み取りを行う画像読取部２５が備えられており、画像読取部２４が画像読取部２５よりも上流側に位置している。
画像読取部２４、２５は、ＣＣＤセンサやＣＭＯＳセンサ等からなるラインセンサーによって構成することができ、搬送路２３で搬送される用紙の画像を、搬送方向と交差する方向の全体に亘って読み取りを行うことができる。画像読取部２４、２５で読み取られた読取結果は、読取制御部２００を介して制御部１００に送信される。制御部１００では、画像読取部２４、２５で読み取られた読取結果に基づいて用紙上の画像の良否を判定することができる
【００３７】
なお、この実施形態では、二つの画像読取部で用紙の表裏の画像を読み取るものとしたが、画像読取部の前後に反転搬送路を設け、用紙の反転搬送を行うことで一つの画像読取部で用紙の表裏の画像を読み取るものとしてもよい。
【００３８】
また、この実施形態では、読取結果に基づく画像不良の検出を装置本体１０に備える制御部１００で行うものとしたが、読取装置２０に備える読取制御部２００によって上記判定を行うものとしてもよい。読取制御部２００における判定結果は制御部１００に送信することができる。読取装置２０で上記判定を行う場合、読取装置２０は、本発明の検査装置として機能する。この場合、読取制御部２００では、さらに、合紙を挿入する合紙挿入部（後述する）や、用紙に後処理を行う後処理部の制御を行う検査制御部として機能することが可能である。
【００３９】
後処理装置３０は、用紙の搬送が可能な搬送路３３を備えており、搬送路３３は、読取装置２０から導入された用紙を下流側に搬送する。搬送路３３の中途には、用紙の後処理を行う後処理部３４が備えられている。後処理部３４は、所定の後処理を実行することが可能である。後処理としては、例えば、ステープル処理、パンチ処理が可能であるほか、折りを含む後処理、例えば、中綴じ、くるみ製本、内三つ折り、Ｚ折り、観音折り、四つ折り等の処理を行うことが可能である。後処理部３４は複数の後処理を行うものであってもよい。また、複数の用紙を一つの出力物として束ねる後処理は、本発明の束後処理に相当する。例えば、中綴じ、くるみ製本、ステープル処理のほか、複数の用紙を重ねた状態で行う折処理などが、本発明の束後処理に相当する。なお、本発明の束後処理はこれらに限定されるものではない。また、中綴じおよびくるみ製本処理は、本発明の製本処理に相当する。
【００４０】
搬送路３３は、途中で分岐して第１排紙部３１と第２排紙部３２に接続されており、後処理部３４を通過した用紙は、第２排紙部３２に排紙され、後処理が行われていない用紙は第１排紙部３１に排紙される。なお、後処理を行わない用紙を第２排紙部３２に排紙するようにしてもよい。
【００４１】
なお、この実施形態では、給紙装置４０、装置本体１０、読取装置２０および後処理装置３０によって画像形成装置１が構成されているものとしたが、本発明としては画像形成装置の構成は上記構成に限定されるものではない。例えば、装置本体１０と読取装置２０とによって画像形成装置が構成されるものでもよく、また、装置本体１０のみで画像形成装置を構成し、装置本体１０に読取装置２０、後処理装置３０、給紙装置４０などを備えるものを画像形成システムとしてもよい。
【００４２】
また、画像形成装置１では、装置本体１０の後段の読取装置２０内に画像読取部２４、２５を備えているが、画像読取部の設置場所は特に限定されず、例えば装置本体内に備えられていてもよい。また、画像形成装置と読取装置とが機械的に接続されていないものであってもよい。本発明の画像検査装置としては、画像読取部を有するものであってもよく、また、画像読取部を有していないものであってもよい。さらに、画像検査装置は、画像形成部を備えるものとしてもよく、また、画像形成部を備えていないものを画像検査装置とするものであってもよい。さらに、画像検査装置に画像読取部を備えるものであってもよい。
【００４３】
次に、画像形成装置１の電気的構成を、図２に基づいて説明する。
画像形成装置１は、主要な構成として、デジタルコピアと、画像処理部（プリント＆スキャナーコントローラー）１６０とを有している。デジタルコピアは、制御ブロック１１０、スキャナー部１３０、操作部１４０およびプリンター部１５０を有している。画像処理部（プリント＆スキャナーコントローラー）１６０は、外部装置との間で入出力される画像データを処理する。
【００４４】
制御ブロック１１０は、ＰＣＩバス１１２を有しており、ＰＣＩバス１１２に、ＤＲＡＭ制御ＩＣ１１１が接続され、ＤＲＡＭ制御ＩＣ１１１には、制御ＣＰＵ１１３が接続されている。ＰＣＩバス１１２には、コントローラーＩＣ１１８を介してＨＤＤ１１９が接続されている。
制御ＣＰＵ１１３には、不揮発メモリ１１５が接続されている。不揮発メモリ１１５やＨＤＤ１１９には、制御ＣＰＵ１１３で実行されるプログラムや、機械設定情報等の設定データ、プロセス制御パラメーター等が格納されている。不揮発メモリ１１５やＨＤＤ１１９は、本発明の記憶部に相当する。
【００４５】
不揮発メモリ１１５やＨＤＤ１１９には、さらに、用紙の読取結果に基づいて用紙上の画像の良否を判定する機能や、画像の異常検知時に合紙を挿入する機能を実施するためのプログラムやパラメーターが格納されているほか、画像異常の検出に用いられる正解画像データ、異常を判定するための閾値、出力物として採用不可能な画像異常かを判定するための閾値、後処理の最小リミット枚数、単葉後処理が可能か、後処理無しでの後処理用の排出先への排紙が可能か、等の情報が格納されている。したがって、不揮発メモリ１１５やＨＤＤ１１９は記録媒体に相当する。なお、これらのプログラムやパラメーター、データは、持ち運び可能なリムーバブルの記録媒体に格納されていてもよい。
【００４６】
制御ＣＰＵ１１３は、プログラムの実行によって画像形成装置１の全体の状態を把握し、画像形成装置１の制御を行うことが可能であり、用紙の搬送、画像形成、後処理等の動作や、画像形成用の画像データの処理などの制御を行うことができる。この実施形態では、制御ＣＰＵ１１３および制御ＣＰＵ１１３で動作するプログラムは、本発明の制御部を構成する。上記プログラムには、本発明のプログラムが含まれている。なお、プログラムは不揮発メモリ１１５以外にＨＤＤ１１９などに格納されているものとしてもよく、また、持ち運び可能な記録媒体に格納されていてもよい。
【００４７】
制御ＣＰＵ１１３は、画像読取部２４、２５により生成された読取画像データを読取結果として取得して解析し、用紙上に形成された画像に異常があるかを判定する画像検査を行うことができる。制御ＣＰＵ１１３が行う検査は、ＣＰＵにより検査用のプログラムを読み込み、実行するソフトウェア処理により、実現することができる。
例えば、制御ＣＰＵ１１３は、読取画像データを原画像データや検品済みの正常画像データと比較し、その差分が許容範囲を超える画像領域を異常と判定することができる。または、制御ＣＰＵ１１３は、原画像データと読取画像データの１又は複数の特徴点とその特徴量を決定し、決定した特徴量から判別分析法により類似すると判別した特徴点が位置する画像領域を異常と判定することもできる。特徴量としては、特に限定されず、勾配方向ヒストグラム、スピードアップロバスト特性 、局所２値パターン、Ｈａａｒウェーブレット、カラーヒストグラム等が挙げられる。また、判別分析法としても特に限定されず、ニューラルネットワーク、サポートベクターマシン等が挙げられる。
【００４８】
制御ＣＰＵ１１３は、異常の種類とそのレベルを判定することもできる。異常の種類としては、用紙上に形成された画像中のスジ、しわ、画像の誤り、消失等の欠陥、トナー散り等の汚れ、色ずれ等がある。
例えば、画像の特徴量は異常の種類が同じであると類似してくるため、制御ＣＰＵ１１３は、異常と判定した特徴点の特徴量と、あらかじめ求めておいたスジやトナー散り等の各種類の異常の特徴量との類似性を判別することにより、異常の種類を判定することができる。
また、制御ＣＰＵ１１３は、正常画像データとの差や、異常と判定された領域が大きいほど、異常が視認されやすくなるため、これらの大きさによって、異常のレベルを決定することができる。
【００４９】
さらに、制御ＣＰＵ１１３は、画像の異常が検出された場合に、異常紙とその次の用紙との間などに合紙を挿入したり、合紙を排出したりする制御を行うことが可能である。合紙は、ジョブで使用される用紙と色やサイズが異なっていることが望ましいがジョブで使用される用紙と同じ用紙を使用するものであってもよい。合紙の挿入を行う場合には、画像不良が検知されたページの位置情報（何ページ目か、何枚前の出力ページか、等）および、検知した画像不良の情報（画像不良の種類、検知レベル等）を合紙に印刷することも可能である。合紙は、給紙装置４０や本体給紙部１２に収納されているものでもよく、カバーなどを収納した図示しない挿入トレイなどに収納しているものとしてもよい。
また、出力中のジョブが束後処理を行うジョブや、後処理の種類、後処理の制約、用紙の排出順等に基づいて、合紙の挿入位置や排紙時期を変更することができる。さらに、画像の異常が検出された際には、異常の種類やレベルに基づいて、画像不良が発生した用紙が出力物として採用できるかの判定を行うことができ、判定結果に応じて出力の中止や合紙の挿入、排出の制御を行うことができる。
画像に異常があるかの判定を読取制御部２００で行う場合も上記と同様の処理を行うことができる。この際に読取制御部２００で実行されるプログラムは本発明のプログラムに相当する。
【００５０】
制御ＣＰＵ１１３には、スキャナー部１３０のスキャナー制御部１３２がシリアル通信可能に接続されている。
スキャナー部１３０は、ＣＣＤ１３１と、スキャナー制御部１３２とを備えている。ＣＣＤ１３１は用紙上の画像を光学的に読み取ることができる。スキャナー制御部１３２は、スキャナー部１３０の全体を制御するものであり、ＣＣＤ１３１による画像の読み取りなどを制御する。スキャナー制御部１３２は、制御ＣＰＵ１１３とシリアル通信可能に接続されており、制御ＣＰＵ１１３による制御を受ける。なお、スキャナー制御部１３２は、ＣＰＵやＣＰＵを動作させるプログラムなどによって構成することができる。
ＣＣＤ１３１で読み取った画像データは、ＤＲＡＭ制御ＩＣ１１１を介して読み取り処理部１１６に送信され、読み取り処理部１１６において所定の補正等の処理がなされる。
【００５１】
操作部１４０は、タッチパネル式のＬＣＤ１４１と、操作部制御部１４２とを備えている。ＬＣＤ１４１では、各種の情報の表示および操作入力を行うことが可能となっている。なお、操作入力は、操作キー等によって行うこともできる。
操作部１４０では、装置本体１０における設定や動作指令、ジョブの出力条件、後処理の有無、画像不良の検出条件などの動作制御条件の入力が可能となっている。さらに、操作部１４０では、設定内容、機械状態、原稿画像等の表示、印刷調整画面の表示等が可能になっている。
【００５２】
操作部１４０では、ＬＣＤ１４１や操作キーを通じた操作入力により、装置本体１０、読取装置２０、後処理装置３０などに対する各種の設定を行うことが可能であり、設定に基づいて、制御部によって、画像形成や用紙の搬送、ジョブの出力開始、ヤレ判定、合紙の挿入、後処理等の動作が制御される。
操作部制御部１４２は、操作部１４０の全体を制御するものである。操作部制御部１４２は制御ＣＰＵ１１３とシリアル通信可能に接続されており、操作部１４０は制御ＣＰＵ１１３からの指令を受けて操作部１４０の制御を行う。操作部制御部１４２は、ＣＰＵやＣＰＵを動作させるプログラムなどによって構成することができる。
【００５３】
ＤＲＡＭ制御ＩＣ１１１には、画像メモリ（ＤＲＡＭ）１２０が接続されている。画像メモリ（ＤＲＡＭ）１２０は、圧縮メモリ１２１とページメモリ１２２とから構成されており、スキャナー部１３０で取得した画像データや、外部の装置からネットワーク２を通して取得した画像データをジョブデータとして格納することができ、画像メモリ（ＤＲＡＭ）１２０には、印刷するジョブの画像データや、画像読取部２４、２５で読み取った読取画像データを格納することができる。
【００５４】
画像メモリ（ＤＲＡＭ）１２０は、圧縮メモリ１２１とページメモリ１２２とを有している。圧縮メモリ１２１には、圧縮された画像データが格納され、ページメモリ１２２には、画像形成用の非圧縮のページ画像データが一時的に格納される。
また、画像メモリ（ＤＲＡＭ）１２０には、上記ＤＲＡＭ制御ＩＣ１１１の制御によって、複数のジョブに関する画像データを保存することができる。さらにはジョブの設定情報や予約されたジョブの画像データなどを保存することができる。なお、これらのデータは、ＨＤＤ１１９に格納することもできる。
【００５５】
ＤＲＡＭ制御ＩＣ１１１には、圧縮／伸長ＩＣ１１７が接続されている。圧縮／伸長ＩＣ１１７では、画像データの圧縮や、圧縮された画像データを伸長することができる。
ＤＲＡＭ制御ＩＣ１１１には、さらに、書き込み処理部１２３が接続されている。書き込み処理部１２３は、ＬＤ１５４Ａにおける画像形成動作に用いるためのデータ処理を行う。
【００５６】
また、制御ＣＰＵ１１３には、プリンター部１５０のプリンター制御部１５１が接続されている。プリンター制御部１５１は、ＣＰＵや記憶部等によって構成されており、制御ＣＰＵ１１３の指令を受けてプリンター部１５０の全体を制御し、ＬＤ１５４Ａによる画像形成動作を制御する。ＬＤ１５４Ａは、各色用のＬＤを総称するものである。また、プリンター部１５０は、画像形成部１１や、搬送路２３を含む搬送部を制御することができる。
【００５７】
さらに、制御ＣＰＵ１１３には、ＬＡＮ制御部１２７が接続されており、ＬＡＮ制御部１２７には、ＬＡＮインターフェース１２８が接続されている。ＬＡＮインターフェース１２８には、ネットワーク２やその他のネットワークなどを接続することができ、ＬＡＮインターフェース１２８を介して外部の装置との間でデータの送受信を行うことができる。
【００５８】
また、ＰＣＩバス１１２には、画像処理部（プリント＆スキャナーコントローラー）１６０のＤＲＡＭ制御ＩＣ１６１が接続されている。
画像処理部（プリント＆スキャナーコントローラー）１６０では、ＤＲＡＭ制御ＩＣ１６１に画像メモリ１６２が接続されており、ＤＲＡＭ制御ＩＣ１６１には、コントローラー制御部１６３が接続されている。さらに、ＤＲＡＭ制御ＩＣ１６１に、ＬＡＮ制御部１６４が接続され、ＬＡＮ制御部１６４に、ＬＡＮインターフェース１６５が接続されている。ＬＡＮインターフェース１６５は、ネットワーク２に接続されている。
【００５９】
ネットワーク２には、外部装置３や他の画像形成装置４、５などが接続されている。画像形成装置１では、ネットワーク２を通じて、外部装置３や他の画像形成装置との間でデータの送受信を行うことができる。なお、ネットワーク２は、ＬＡＮの他にＷＡＮ、電話回線などとして使用されるものであってもよく、無線、有線を問わない。
【００６０】
外部装置３は、外部装置３全体を制御する外部装置制御部３００を有している。外部装置制御部３００は、ＣＰＵやＣＰＵを動作させるプログラム、記憶部などによって構成することができる。また、外部装置３は、情報を表示可能な外部表示部３１０と、所望の操作入力を行うことが可能な図示しない操作部を有している。
なお、外部装置制御部３００は、端末や画像形成装置１を管理する装置として使用することも可能である。この場合、外部装置３は、ネットワーク２を介してＬＡＮインターフェース１２８に接続される。
【００６１】
なお、外部装置３で画像形成装置１を管理する場合、外部装置制御部３００は、画像形成装置を管理する管理制御部として機能する。外部装置制御部３００は、画像形成や給紙動作、画像の読取、画像検査、後処理等の動作を管理することができる。
外部装置３は、画像形成装置を管理する場合、画像形成装置を直接制御してもよく、また、画像形成装置へ制御内容の指示を行い、この指示内容によって画像形成装置の制御部で制御が行われるようにしてもよい。
【００６２】
また、外部装置３では、読取装置２０の画像読取部２４、２５が取得した読取画像を受信して、読取画像に基づいてヤレの検出を行うことができ、さらに、ヤレ検出時の合紙挿入などの制御を行うことも可能である。この場合、外部装置３は、本発明の画像検査装置として使用することができ、外部装置制御部３００は、本発明の制御部として機能し、外部装置制御部３００で動作するプログラムは、本発明のプログラムに相当する。
【００６３】
次に、画像形成装置１の基本的動作について説明する。
先ず、画像形成装置１において画像データを蓄積する手順について説明する。
スキャナー部１３０で原稿の画像を読み取り、画像データを生成する場合、スキャナー部１３０に原稿を載置し、ＣＣＤ１３１により原稿の画像を光学的に読み取る。この際は、制御ＣＰＵ１１３から指令を受けたスキャナー制御部１３２がＣＣＤ１３１の動作制御を行う。
【００６４】
ＣＣＤ１３１で読み取られた画像は、読み取り処理部１１６に送られ、読み取り処理部１１６において所定のデータ処理がなされる。データ処理された画像データは、圧縮／伸長ＩＣ１１７に送出され、圧縮／伸長ＩＣ１１７において所定の方法によって圧縮され、ＤＲＡＭ制御ＩＣ１１１を介して圧縮メモリ１２１やＨＤＤ１１９に格納される。
圧縮メモリ１２１やＨＤＤ１１９に格納された画像データは、制御ＣＰＵ１１３によってジョブとして管理することができる。画像データをジョブとして管理する場合は、画像メモリ（ＤＲＡＭ）１２０およびＨＤＤ１１９において、印刷条件が画像データと関連付けて格納される。
なお、印刷画像データと印刷条件とは、両者が関連付けられていれば、それぞれが異なる記憶媒体に格納されるものであってもよい。印刷条件は、操作部１４０を通してユーザーが設定したり、初期設定や動作状況に自動的に設定されたりする。
【００６５】
一方、画像データを外部から取得する場合、例えば、外部装置３や他の画像形成装置４、５などからネットワーク２を通して画像データを取得する場合は、画像処理部（プリント＆スキャナーコントローラー）１６０のＬＡＮインターフェース１６５を介して画像データを受信する。受信した画像データは、ＬＡＮインターフェース１６５、ＬＡＮ制御部１６４、ＤＲＡＭ制御ＩＣ１６１を介して画像メモリ１６２に格納される。
その後、画像メモリ１６２に格納された画像データは、ＤＲＡＭ制御ＩＣ１６１、ＰＣＩバス１１２、ＤＲＡＭ制御ＩＣ１１１を介してページメモリ１２２に一旦格納される。
なお、画像データがページ記述データである場合、コントローラー制御部１６３によって画像データのＲＩＰ処理を行うことで、画像データをラスターイメージとすることができる。
【００６６】
ページメモリ１２２に格納された印刷データは、ＤＲＡＭ制御ＩＣ１１１を介して圧縮／伸長ＩＣ１１７に順次送られて圧縮処理され、ＤＲＡＭ制御ＩＣ１１１を介して圧縮メモリ１２１に格納される。また、ＨＤＤ１１９に格納する場合は、印刷データは、ＤＲＡＭ制御ＩＣ１１１、コントローラーＩＣ１１８を介してＨＤＤ１１９に格納される。これら印刷データは、上記と同様に制御ＣＰＵ１１３による管理がなされる。画像メモリ（ＤＲＡＭ）１２０およびＨＤＤ１１９は、画像データを保存する記憶部となる。
【００６７】
画像形成装置１で画像出力を行う場合、すなわち複写機やプリンターとして使用する場合、圧縮メモリ１２１や不揮発メモリ１１５、ＨＤＤ１１９などに格納された画像データを、ＤＲＡＭ制御ＩＣ１１１を介して圧縮／伸長ＩＣ１１７に送出し、画像データを伸長する。伸長された画像データはＤＲＡＭ制御ＩＣ１１１を介して書き込み処理部１２３へ送出され、書き込み処理部１２３にて、設定された印刷条件に従って繰り返しＬＤ１５４Ａに展開し、ＬＤ１５４Ａによって画像データに基づいて各感光体への書き込みが行われる。感光体に書き込まれた画像は、その後、現像、転写、定着等を経て、用紙上に定着される。
【００６８】
なお、画像形成装置１を複写機として使用する場合は、操作部１４０上で設定された印刷条件（プリントモード）等の情報を制御ＣＰＵ１１３に通知し、制御ＣＰＵ１１３で設定情報を作成する。作成された設定情報は制御ＣＰＵ１１３内のＲＡＭに格納することができる。
画像形成装置１をプリンターとして用いる場合、印刷条件は、外部装置３内のプリンタドライバで設定することができる。ここで設定された印刷条件は、画像と同様に、外部装置３→  ＬＡＮ  ＩＦ１６５→  画像メモリ１６２→  ＤＲＡＭ制御ＩＣ１６１（コントローラー）→  ＤＲＡＭ制御ＩＣ１１１（本体）→  ページメモリ１２２と転送され、ページメモリ１２２に格納される。
【００６９】
次に、束後処理を実施するジョブの出力中にヤレが検知された場合の合紙の挿入や排出方法について説明する。
【００７０】
従来から、画像形成装置の分野では、出力物の画像を読み取った読取画像に基づいて画像の良否を判定し、ヤレを検出することが可能な技術が知られている。ヤレを検出した場合には、生産性の低下を避けるために、ヤレの位置を示すための目印合紙を排紙した上で、出力動作を継続する技術が用いられている。そして、ジョブの出力後に、ユーザーの目視検査により、ヤレが出力物として採用できるかを判断し、採用可能であると判断した場合には、ヤレとされた出力物を異常のない出力物として扱うことができる。
しかし、くるみ製本処理や、中綴じなど、出力された用紙を束として一つにまとめる後処理を行う場合は、ヤレの直後に目印合紙を挿入すると、ヤレと目印用紙とが含まれる用紙束が生成されてしまう。この場合、ユーザーがヤレを出力物として採用可能であると判断しても、この用紙を含む用紙束には合紙が含まれているため、束自体がヤレとなってしまう。
【００７１】
比較のために、従来の合紙挿入方法を図３に示す。
図３は、くるみ製本を行う全３ページのジョブを出力する場合を示している。
図３に示すように、従来の技術では、画像検査によって２ページ目で異常が検知されると、２ページ目の次に目印合紙ＩＰが挿入される。このため、カバー用紙Ｐ０を用いてくるみ製本が行われると、合紙が含まれた冊子が作成されてしまう。
そのため、ヤレとされた２ページ目をユーザーが目視検査して問題がないと判断しても、冊子自体に合紙が含まれているため、冊子を出力物として採用することができなくなってしまう。
【００７２】
そこで、本実施形態では、束後処理を実施するジョブの出力中にヤレが検出された場合には、出力を継続して束後処理を実施し、束の排出後に合紙を排出するように制御する。
図４は、本実施形態における合紙の挿入方法を示す図である。
図４では、図３の例と同様に、くるみ製本を行う全３ページのジョブを出力する場合を示している。画像検査によって２ページ目で画像不良が検出されてヤレと判定された場合は、２ページ目の直後に目印合紙ＩＰを挿入するのではなく、３ページ目とカバー用紙Ｐ０の出力を行い、くるみ製本処理を行い、そして、束の出力後に目印合紙ＩＰを排出する。図４の右側に示すように、排紙先においては、束となった出力物の上に目印合紙が配置される。
なお、目印合紙にはヤレの位置や異常の情報などを印刷することも可能である。例えば、束の中の何ページ目がヤレであるかを合紙に印刷しても良い。
【００７３】
本実施形態の合紙の排出手順を図５のフローチャートに基づいて説明する。なお、以下の動作は画像形成装置１の制御部、読取制御部または外部装置３の外部装置制御部などの制御によって実行される。
Ｎ部目の画像形成動作を開始すると、対象ページを１に設定し（ステップｓ１）、対象ページが１部あたりのページ数より大きいかを判定する（ステップｓ２）。対象ページが１部あたりのページ数以下である場合（ステップｓ２、Ｎｏ）、画像形成部で対象ページの画像形成を実施し（ステップｓ３）、対象ページ数に１を加算する（ステップｓ４）。そして、出力画像をインラインセンサ（画像読取部）で読み取り（ステップｓ５）、読取画像の解析を実施する（ステップｓ６）。読み取りの画像の解析では、予め用意した正解画像データとの比較を行い、比較結果に基づいて解析を行うものでもよい。
解析の結果、ヤレ（異常）を検出したかを判定する（ステップｓ７）。ヤレが検出されなかった場合（ステップｓ７、Ｎｏ）、すなわち画像異常が検知されなかった場合、ステップｓ２に戻り、再度、対象ページと１部あたりのページ数との比較を行う。ヤレが検出された場合、すなわち読取画像に画像異常が検出された場合（ステップｓ７、Ｙｅｓ）、出力中のページが束後処理実施ジョブであるかを判定する(ステップｓ８)。
束後処理実施ジョブでない場合（ステップｓ８、Ｎｏ）、ヤレ検知位置を示す合紙を排出する（ステップｓ９）。なお、合紙にヤレの種類などの情報を印刷するようにしてもよい。合紙の排出後はステップｓ２に戻り、再度、対象ページと１部あたりのページ数との比較を行う。また、束後処理実施ジョブである場合（ステップｓ８、Ｙｅｓ）、ヤレ検知ページ、ヤレ種類およびヤレレベルを記憶する（ステップｓ１０）。その後、ステップｓ２に戻り、再度、対象ページと１部あたりのページ数との比較を行う。
【００７４】
一方、対象ページと１部あたりのページ数との比較において、対象ページが１部あたりのページ数を超えている場合（ステップｓ２、Ｙｅｓ）、出力したジョブが束後処理実施ジョブであるかを判定する（ステップｓ１１）。束後処理実施ジョブである場合（ステップｓ１１、Ｙｅｓ）、後処理機において、指定の後処理と排出を実施し（ステップｓ１２）、ヤレ検知ページがあるかを判定する（ステップｓ１３）。この判定は、ステップｓ１０において記憶したヤレ検知ページの情報に基づいて行うことができる。ヤレ検知ページがある場合（ステップｓ１３、Ｙｅｓ）、合紙にヤレ検知ページ、ヤレ種類、ヤレレベルを印字し（ステップｓ１４）、合紙を排出する（ステップｓ１５）。その後、出力部数カウントに１を加算し（ステップｓ１６）、手順を終了する。ヤレ検知ページがない場合は（ステップｓ１３、Ｎｏ）、出力部数カウントに１を加算し（ステップｓ１６）、手順を終了する。
ステップｓ１１の判定で、束後処理実施ジョブでない場合（ステップｓ１１、Ｎｏ）、束後処理を実施せずに出力部数カウントに１を加算し（ステップｓ１６）、手順を終了する。
【００７５】
上記手順によれば、束後処理実施ジョブの出力中にヤレを検知した場合に、束の完成後に合紙を排出することが可能になる。
これにより、ユーザーがヤレページを出力物として採用できるかの確認を実施し、採用できると判断した場合には束全体を出力物として採用できるようになるため、ヤレの発生による用紙破棄を最小限に抑えることが可能となる。
【００７６】
（実施形態２）
実施形態１は、画像異常が検出されてヤレと判定されたページをユーザーが確認し、出力物として採用できるかを判断しているが、異常の種類やレベルに基づいて、ヤレが出力物として採用できないものかを装置が判断するようにしてもよい。
出力物として採用できないヤレであると判定された場合は、束全体をリカバリ出力する必要があるため、同一束の残りページを出力しても無駄紙となる。そのため、束の残りページは出力せずに、出力済み用紙に対して束後処理を行い、その後、用紙束がヤレであることを示す合紙を挿入することができる。束後処理を行うのは、装置で束後処理を行わないと排出できない、などの場合に対応することができる。
【００７７】
異常が検知された用紙が出力物として採用できるかは、検出された異常の種類／レベルの閾値に基づいて判断することができる。閾値の値は予め記憶部に記憶しておくことができ、ユーザーによる変更が可能であってもよい。また、前記閾値として、枚葉処理を行うジョブや後処理を行わないジョブとは異なる閾値を用いることも可能である。
なお、出力物として採用できない異常の種類やレベルについては、本発明では特に限定されない。例えば、異なるページの画像が用紙に印刷されていると判断された場合には、当該ページは出力物として採用できないヤレであると判定してもよく、正解画像との差異の度合いが所定以上の場合に採用できないヤレとしてもよい。
【００７８】
図６は、ヤレが出力物として採用できないと判断された場合の動作例を示す図である。
図６では、くるみ製本を行う全３ページのジョブを出力する場合を示している。ここでは、画像検査において２ページ目が出力物として採用不可能なヤレであると判定されたため、同一束となる３ページ目の出力を行わずにカバー用紙Ｐ０を給紙し、束後処理を行う。そして、カバー用紙の次に目印合紙ＩＰを給紙して、束となった出力物の上に目印合紙ＩＰが配置されるようにする。なお、目印合紙にヤレの位置や種類に関する情報を印字するようにしてもよい。
【００７９】
本実施形態によれば、出力物として採用できないヤレが検出された場合に無駄紙を削減することが可能になる。
【００８０】
（実施形態３）
実施形態２の方法は、くるみ製本を実施してから目印合紙を挿入するため、くるみ製本用のカバー用紙が必要となる。しかし、製本後の冊子は出力物として採用できないため、最終的にはカバー用紙は無駄紙となってしまう。また、ユーザーが合紙を見逃した場合には、ページ抜け状態の冊子が出力物として採用されてしまうおそれもある。
これを改善するために、カバー用紙をヤレ検出用の用紙（目印合紙）と差し替えて、出力済み用紙とともに束後処理を行い、目印合紙が冊子の表紙および／または裏表紙となるようにして、ユーザーに対してヤレ冊子であることを明確に報知するようにしてもよい。
【００８１】
図７は、カバー用紙をヤレ検出冊子用の用紙（合紙）と差し替える場合を示している。
この例では、画像検査において２ページ目が採用できないヤレであると判定されたため、３ページ目以降の出力を中止し、ヤレ用のカバー用紙Ｐ１０を給紙して、束後処理を実施する。これにより、図７の右側に示すように、ヤレ用のカバー用紙が表紙および裏表紙となる冊子が排出されるため、ヤレ冊子であることをユーザーが容易に認識することができる。また、製本用のカバー用紙が無駄紙として排出されないという利点もある。
【００８２】
本実施形態の合紙の排出方法を用いた画像形成動作の手順を、図８のフローチャートに基づいて説明する。なお、以下の動作は画像形成装置１の制御部、読取制御部または外部装置３の外部装置制御部などの制御によって実行される。
【００８３】
Ｎ部目の画像形成動作を開始すると、対象ページを１に設定し（ステップｓ２０）、対象ページが１部あたりのページ数よりも大きいかを判定する（ステップｓ２１）。対象ページが１部あたりのページ数以下である場合（ステップｓ２１、Ｎｏ）、画像形成部で対象ページの画像形成を実施し（ステップｓ２２）、対象ページ数に１を加算する（ステップｓ２３）。そして、出力画像をインラインセンサ（画像読取部）で読み取り（ステップｓ２４）、読取画像の解析を実施する（ステップｓ２５）。
読み取りの画像の解析では、予め用意した正解画像データとの比較を行い、比較結果に基づいて解析を行ってもよい。
解析の結果、ヤレを検出したかを判定する（ステップｓ２６）。ヤレが検出されなかった場合（ステップｓ２６、Ｎｏ）、すなわち画像異常が検知されなかった場合、ステップｓ２１に戻り、再度、対象ページと１部あたりのページ数との比較を行う。ヤレが検出された場合、すなわち読取画像に画像不良が検出された場合（ステップｓ２６、Ｙｅｓ）、出力中のジョブが束後処理実施ジョブであるかを判定する(ステップｓ２７)。
【００８４】
束後処理実施ジョブでない場合（ステップｓ２７、Ｎｏ）、ヤレ検知位置を示す合紙を排出する（ステップｓ２８）。なお、合紙にヤレの種類等を印刷するようにしてもよい。合紙の排出後はステップｓ２１に戻り、再度、対象ページと１部あたりのページ数との比較を行う。また、ジョブが束後処理実施ジョブである場合（ステップｓ２７、Ｙｅｓ）、束後処理実施時の出力物採用基準（閾値）を読み出し（ステップｓ２９）、読み出した閾値に基づいて、ヤレが出力物として採用可能かを判定する（ステップｓ３０）。判定は、検知された画像異常の種類やレベルに基づいて行われる。出力物として採用可能なヤレであると判定された場合（ステップｓ３０、Ｙｅｓ）、ヤレ検知ページ、ヤレ種類、ヤレレベルを記憶する（ステップｓ３１）。その後、ステップｓ２１に戻り、再度、対象ページと１部あたりのページ数との比較を行う。
一方、ヤレが出力物として採用できないヤレであった場合（ステップｓ３０、Ｎｏ）、残りページの出力は行わず、ヤレのカバー用紙を排出し（ステップｓ３２）、後処理機で指定の後処理と排出を実施し（ステップｓ３３）、手順を終了する。
【００８５】
一方、対象ページと１部あたりのページ数との比較において、対象ページが１部あたりのページ数を超えている場合（ステップｓ２１、Ｙｅｓ）、出力したジョブが束後処理実施ジョブであるかを判定する（ステップｓ３４）。束後処理実施ジョブである場合（ステップｓ３４、Ｙｅｓ）、後処理機において、指定の後処理と排出を実施し（ステップｓ３５）、ヤレ検知ページがあるかを判定する（ステップｓ３６）。この判定は、ステップｓ３１において記憶したヤレ検知ページの情報に基づいて行うことができる。ヤレ検知ページがある場合（ステップｓ３６、Ｙｅｓ）、合紙にヤレ検知ページ、ヤレ種類、ヤレレベルを印字し（ステップｓ３７）、合紙を排出する（ステップｓ３８）。その後、出力部数カウントに１を加算し（ステップ３９）、手順を終了する。ヤレ検知ページがない場合は（ステップｓ３６、Ｎｏ）、合紙の排出は行わず、出力部数カウントに１を加算し（ステップｓ３９）、手順を終了する。
ステップｓ３４の判定で、出力したジョブが束後処理実施ジョブでない場合（ステップｓ３４、Ｎｏ）、束後処理を実施せずに出力部数カウントに１を加算し（ステップｓ３９）、手順を終了する。
【００８６】
上記手順によれば、出力物として採用不可能なヤレが検出された場合に無駄紙を削減することが可能になる。
【００８７】
（実施形態４）
実施形態１〜３に示した制御を実際の画像形成装置に適用する場合、以下に示す理由により、後処理の種類（束処理か枚葉処理か）や後処理機の排出制約（１枚後処理が可能か、最小リミット枚数制限、後処理実施有／無の両方で排出可能か、排紙順（１ｔｏＮ  ｏｒ  Ｎｔｏ１）等）を考慮して、実施形態１〜３および従来技術の制御のうちどれかを適用するように、制御を切り替えることが望ましい。
【００８８】
・束後処理か枚葉処理か
実施形態１に示したように、後処理として束後処理を行う場合は、束後処理後に合紙を排出することが望ましい。
【００８９】
・単葉後処理／後処理なしでの排出ができるか
後処理機によっては、束後処理用の排出トレイには束後処理された出力物しか排出できないという制約や、一枚の用紙のみを対象とした後処理（単葉後処理）が行えないという制約がある。束後処理用の排出トレイに後処理なしの用紙を排出不可で、かつ、単葉後処理が不可能である場合は、束後処理後の出力物の上に合紙を挿入することができない。そのため、ヤレ検知時の制御を決定する際には、単葉後処理が可能か、束後処理用の排紙トレイへ後処理なしでの排出が可能かを考慮する必要がある。
【００９０】
図９は、単葉後処理が可能な装置を用いる場合（例１）を示しており、図１０は、単葉後処理ができない装置を用いる場合（例２）を示している。なお、束後処理としては中綴じを行う場合を想定している。
単葉後処理が可能な場合は、図９に示すように、中綴じ冊子を排出した後に、１枚中折りで目印合紙を挿入することができる。このため、実施形態１の制御を行うことが望ましい。なお、実施形態２の制御を行ってもよい。
一方、単葉中折り後の用紙を中綴じ冊子トレイに排出できない後処理装置を用いる場合、束後処理後の冊子の後に合紙を挿入することができないため、図１０に示すように、実施形態３の方法、すなわち、合紙をカバー用紙の代わりの挿入する構成を用いることが望ましい。
【００９１】
・カバー用紙の給紙順序
実施形態１〜３の図４、６、７では、カバー用紙が最後に排出される装置が示されていたが、カバー用紙を最初に排出する後処理機も存在する。カバー用紙を最初に排出する後処理機を用いる場合は、実施形態３の構成、すなわち、ヤレ検知時にヤレ用のカバー用紙を給紙して後処理を実施する構成は採用することができない。
そのため、カバー用紙の給紙順序を考慮して合紙の挿入方法を決定することが望ましい。
【００９２】
なお、カバー用紙の給紙順序は、後処理の種類や後処理器の構造、印刷設定等によって決定される。例えば、重ね折りの後処理を行う場合は、折りユニットの構造（山折り／谷折り）や、印字面（内印刷／外印刷）の設定等により、排紙面（ＦａｃｅＵＰ／ＦａｃｅＤｏｗｎ）や排紙順（１ｔｏＮ／Ｎｔｏ１）が切り替えられて所望の出力物が形成される。このため、これらの設定も考慮した上で、カバー用紙が最初に排出されるか、最後に排出されるかを考慮することが望ましい。
【００９３】
図１１は、カバー用紙を最初に排出する後処理機を用いる場合（例３）を示している。
図１１の例では、画像検査において２ページ目がヤレと判定されている。しかし、ヤレ検知時には既にカバー用紙を排出済みであるため、ヤレ検知時にヤレ用のカバー用紙（合紙）を挿入する制御（実施形態３）は適用できない。このため、実施形態１、２の制御を適用して、束後処理を行った後に目印合紙を挿入することが望ましい。
【００９４】
・最小後処理枚数
実施形態２、３では、ヤレ検知時には束の残りページは出力せずに後処理を実施している。しかし、後処理機の中には、後処理を実施する上での最小リミット枚数が存在する場合がある。最小リミット枚数が規定されている後処理機では、ヤレ検知時の出力済み用紙枚数が最小リミット枚数に達していない場合は、後処理を実行することができない。
そこで、ヤレ検知時の出力済み枚数が最小リミット枚数に達していない場合には、最小リミット枚数に到達するまで（もしくは全ページ出力完了まで）は出力を続けて、リミット枚数に達した時点で後処理/排出を実施する、といった制御を行うことが望ましい。
【００９５】
図１２は、最小後処理枚数が３枚と設定されている後処理機を用いる場合（例４）を示している。
図１２の例では、画像検査において２ページ目がヤレとされたため、通常であれば３ページ目の出力を中止するが、この時点では最小後処理枚数に達しないため、出力を継続する。その後、３ページ目を出力した時点で最小リミット枚数に達するので、以降のページは出力せずにヤレ用のカバー用紙（合紙）を出力して後処理および排出を実施する。
【００９６】
・後処理が製本またはステープルか
束後処理が製本またはステープルである場合は、後処理後に用紙を差し替えることができないため、実施形態１〜３のいずれかの制御を用いることが望ましい。
一方、後処理の種類が製本またはステープルでない場合（パンチ、折りなど）は、後処理後の束において用紙の入れ替えが可能であるため、束の途中であっても合紙を挿入するようにしてもよい。
【００９７】
本実施形態によれば、後処理の内容や後処理装置の制約を考慮した適切な合紙排出方法を選択することが可能となる。
【００９８】
以上、本発明について上記実施形態に基づいて説明を行ったが、本発明の範囲は上記説明の内容に限定されるものではなく、本発明の範囲を逸脱しない限りでは上記実施形態に対する適宜の変更が可能である。
【符号の説明】
【００９９】
１  画像形成装置
２  ネットワーク
３  外部装置
１０  装置本体
１１  画像形成部
１２  本体給紙部
１３  搬送路
２０  読取装置
２３  搬送路
２４  画像読取部
２５  画像読取部
３０  後処理装置
３１  第１排紙部
３２  第２排紙部
３３  搬送路
３４  後処理部
４０  給紙装置
１００  制御部
１１３  制御ＣＰＵ
１１５  不揮発メモリ
１１９  ＨＤＤ
１４０  操作部
２００  読取制御部
３００  外部装置制御部
３１０  外部表示部
Ｐ０  カバー用紙
ＩＰ  目印合紙
【図１】
2019155656.tif 000003
【図２】
2019155656.tif 000004
【図３】
2019155656.tif 000005
【図４】
2019155656.tif 000006
【図５】
2019155656.tif 000007
【図６】
2019155656.tif 000008
【図７】
2019155656.tif 000009
【図８】
2019155656.tif 000010
【図９】
2019155656.tif 000011
【図１０】
2019155656.tif 000012
【図１１】
2019155656.tif 000013
【図１２】
2019155656.tif 000014